(57)【要約】【課題】生物体の電気抵抗信号を自己測量でき、更に他人も測量することができる遠距離診断システムの経穴検測器を提供する。【解決手段】本考案の生物体の電気抵抗信号を測量する遠距離診断システムの経穴検測器は、生物体の電気抵抗信号を測量し、且つ両探測端に設けられる検測体と、測量された生物体電気抵抗信号データを伝送することに用いる伝送部と、該検測体と生物体がループ状態を構成することを示すインジケータユニットから構成される。該伝送部を介して、測量された生物体電気抵抗信号のデータをコンピュータに伝送し、該データが呈する意義を分析する。【選択図】図１
0003137563.tif 000002
【実用新案登録請求の範囲】
【請求項１】
a)検該体１０と、b)少なくとも１つのインジケータユニット６０と、c)伝送部２０とを含み、
該検測体１０は、把手１１と、検測体１０の一端に位置する探測棒と、該把手１１上に位置する少なくとも１つの導電ユニット１３と、該把手１１上に位置する少なくとも１つの押しボタン１４とを含み、
該インジケータユニット６０は、該検測体１０上に位置し、
該伝送部２０は該検測体１０上に位置する遠距離診断システムの経穴検測器。
【請求項２】
前記検測体１０が更に、a）導電部４０と、ｂ)導電棒５０とを含み、
該導電部４０が、該検測体１０上に位置し、該導電ユニット１３に並列し、
該導電棒５０が導線５１で該導電部４０に接続する請求項1記載の遠距離診断システムの経穴検測器。
【請求項３】
前記検測体１０が中空の管状体であり、該検測体１０内部に探測回路ユニット１００を設けてなり、該探測回路ユニット１００が：
ａ）ファンクションジェネレータ１０４と、ｂ）信号電圧管理ユニット１０４と、ｃ）インジケータ１０８と、ｄ）直流変換器１０５と、ｅ）デジタル化ユニット１０６と、ｆ）伝送インターフェイス１０７とを含み、
該ファンクションジェネレータは、動作周波数を発生することに用いてなり、
該信号電圧管理ユニット１０３は、電源を提供し、アナログおよびデジタルの電源を隔離し、第１信号探測端１０１を該探測棒１２に接続させ、第２信号探測端１０２を該導電ユニット１３に接続させるか、または該導電ユニット１３の該導電部４０に並列させてなり、
該インジケータ１０８は、該第１信号探測端１０１と該第２信号探測端１０２がループを構成する状態を表示することに用いてなり、
該直流変換器１０５は、電圧の変換と隔離、および動作に必要な電流を提供することに用いてなり、
該デジタル化ユニット１０６は、該直流変換器１０５を経て変換された探測信号をデジタル化してなり、
伝送部２０に接続する該伝送インターフェイス１０７は、デジタル化された該探測信号データをデータ分析装置１１０に伝送することができる請求項１または２記載の遠距離診断システムの経穴検測器。
【請求項４】
前記伝送インターフェイス１０７がＵＳＢインターフェイスまたはブルートゥース伝送インターフェイスである請求項３記載の遠距離診断システムの経穴検測器。
【請求項５】
前記インジケータユニット６０が発光ユニットまたは音声発生ユニットである請求項１記載の遠距離診断システムの経穴検測器。
【考案の詳細な説明】
【技術分野】
【０００１】
本考案は、生物体の電気抵抗信号を測量する遠距離システムの経穴検測器に関する。
【背景技術】
【０００２】
自律神経の主な機能は、内臓の活動および腺体の分泌を調節することであるので、生物体が自律神経（交感神経）の制御および影響を受け、皮膚細胞の脱分極化に低抵抗現象を呈させる。経穴は、交感神経が体表で活動する反応現象であるので、皮膚抵抗の測量によって交感神経の興奮度が分かる。交感神経が興奮している時、電気抵抗値が減少する。対応して、交換神経が抑制されている時、電気抵抗が増加する。自律神経が生物体の器官機能および生理メカニズムを調節しているので、臓腑に病変が生じる時、交感神経の興奮度に影響を及ぼす。従って、良導絡の測定法によって、各臓腑が対応する良導絡の皮膚抵抗値を検測し、生物の臓腑の状態を判断する。治療時に情報を提供し、興奮を抑制し、低下している場合には、興奮させることができる。
【０００３】
該原理に基づき、1947年ドイツの医師クローン（Ｃｒｏｏｎ）が「皮膚抵抗領域」および経穴が関係することを発見している。１９５０年に日本の医師中谷義雄（Ｄｒ．Ｙｏｓｈｉｏ  Ｎａｋａｔａｎｉ）が皮膚上の「良導絡」および「良導点」と経穴の関係を発見している。１９５３年から行われている、ドイツの医師ヴォール（Ｖｏｌｌ）の経穴に対する電気現象進行システムの研究は、この現象の探求および応用である。但し、測量時、導電筒を握り、もう１つの電極の探測棒を利用し、生物体の皮膚と接触させて始めて測量回路を構成することができる。前記既存の設備および検測器は、典型的には公告第５５５５７８号「ハンドトップ型電子製品の経穴位置の保健システム」、公告第３７６７３９号「共振感応式の健診器構造」等であり、いずれも分離した２つの電極を有し、自己測量時に非常に困難且つ面倒であり、長時間の練習を要して始めて精確な経穴の位置を探すことができる。
【特許文献１】特開第２００２−７８７７２号公報
【考案の開示】
【考案が解決しようとする課題】
【０００４】
本考案の目的は、生物体の電気抵抗信号を自己測量でき、更に他人も測量することができる遠距離診断システムの経穴検測器を提供することである。
【課題を解決するための手段】
【０００５】
上記の目的を達成するため、本考案の遠距離診断システムの経穴検測器は、片手で探測棒および導電ユニットを同時操作でき、生物体の電気抵抗信号の自己測量を達成する。探測棒および導電ユニットを併用し、他人が握った導電棒から他人の生物体電気抵抗信号の測量を達成する。
【考案の効果】
【０００６】
本考案の遠距離診断システムの経穴検測器は、上記の構成および効果の外、インジケータを介して経穴の位置を検出したか否かを表示し、長時間の練習を要さず、精確に経穴位置を検出することができる。
【考案を実施するための最良の形態】
【０００７】
図１は、本考案の自己診断実施例の立体図である。そのうち：検測体１０と、伝送部２０と、インジケータユニット６０とを含む。
【０００８】
そのうち、該検測体１０は、把手１１と、該検測体１０の一端に位置する探測棒１２と、該把手１１上に位置する導電ユニット１３と、押しボタン１４から組成される。生物体が片手で該導電ユニット１３を握り、その後、該探測棒１２を該生物体の経穴に接触させた時、該生物体と該検測体１０がループを構成し、この時、該検測体１０上のインジケータユニット６０が経穴を検出した表示をする。該検測体１０は測量された生物体電気抵抗信号データが前後の抵抗値の照合を経て、抵抗値の上昇または下降をランプ信号表示し、抵抗値が同様に出力を持続する場合、インジケータユニット６０は既に経穴を検出した表示をし、且つ該押しボタン１４が押された時、該伝送部２０を介してコンピュータに出力する。
【０００９】
図２は、本考案が提供する他人診断の実施例の立体図である。そのうち：検測体１０と、伝送部２０と、導電部４０と、導電棒５０と、インジケータユニット６０とを含む。
【００１０】
そのうち、該検測体１０は、把手１１と、該検測体１０の一端に位置する探測棒１２と、該把手１１上に位置する導電ユニット１３と、押しボタン１４から組成される。導電ユニット１３に並列し、且つ該検測体１０上に位置する導電部４０を、導線５１で導電棒５０に接続し、該導電棒５０がその他の生物体に握らせ、該探測棒１２が該その他の生物体の経穴に接触する時、該その他の生物体と該検測体１０がループを構成し、この時、該検測体１０上のインジケータユニット６０が経穴を検出した表示をする。該検測体１０は測量された生物体電気抵抗信号データが前後の抵抗値の照合を経て、抵抗値の上昇または下降をランプ信号表示し、抵抗値が同様に出力を持続する場合、インジケータユニット６０は既に経穴を検出した表示をし、且つ該押しボタン１４が押された時、該伝送部２０を介してコンピュータに出力する。
【００１１】
図４は、本考案の実施例の回路ブロック図である。そのうち、上記検測体１０内部に探測回路ユニット１１０を設けてなり、該探測回路ユニット１００は：ファンクションジェネレータ(Function Generator)１０４と、信号電圧管理ユニット(Power Management)１０３と、直流変換器(DC to DC Converter)１０５と、デジタル化ユニット(Analog to Digital Converter)１０６と、伝送インターフェイス１０７と、インジケータ(Indicator)１０８とを含む。 
【００１２】
そのうち、該ファンクションジェネレータ１０４は、動作周波数を発生する。該信号電圧管理ユニット１０３は、電源を提供し、アナログとデジタルの電源を隔離し、第１信号探測端１０１を上記探測棒１２に導通させ、第２信号探測端１０２を上記導電ユニット１３に導通させるか、上記導電ユニット１３の上記導電部４０を並列させ、生物体１３０の経穴信号を測量させる。該第１信号探測端１０１と該第２信号探測端１０２がループを構成する時、測量された該生物体１３０の信号が該直流変換器１０５の電圧を経て変換および隔離され、且つ必要な電流が提供され、その後、該デジタル化ユニット１０６を経てデジタル化（Digitization）され、該デジタル化されたデータが上記伝送部２０に接続された該伝送インターフェイス１０７からデータ分析装置１１０まで伝送され、該データが分析、処理される。該データ分析装置１１０は、該第１信号探測端１０１と該第２信号探測端１０２の間の電圧変化の反応時間と安定時間を判読することができる。該時間が経穴の要求に適合することを判読した時、該データ分析装置１１０が該伝送インターフェイス１０７を経て、該インジケータ１０８へ信号を送り、インジケータ信号をインジケータユニット６０へ伝送し、該生物体１３０の経穴を検出した表示をする。
【００１３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１４】
【図１】本考案の自己診断の実施例の立体図である。
【図２】本考案の他人に診断を提供する実施例の立体図である。
【図３】本考案の実施例の回路ブロック図である。
【符号の説明】
【００１５】
１０  検測体
１１  把手
１２  探測棒
１３  導電ユニット
１４  押しボタン
２０  伝送部
４０  導電部
５０  導電棒
５１  導線
６０  インジケータユニット
１００  探測回路ユニット
１０１  第１信号探測ユニット
１０２  第２信号探測ユニット
１０３  信号圧力管理ユニット
１０４  ファンクションジェネレータ
１０５  直流変換機
１０６  デジタル化ユニット
１０７  伝送インターフェイス
１０８  インジケータ
１１０  データ分析装置
１３０  生物体
【図１】
0003137563.tif 000003
【図２】
0003137563.tif 000004
【図３】
0003137563.tif 000005